(57)【要約】ウェイト付きエクササイズグローブ（１０）はボクシンググローブのような形状を有する。グローブ周囲のウェイト（３０、３２、５２）の形状および配置は、ユーザがウェイトを握る必要なしに、腕の端部にレジスタンスウェイトを取り付けることを可能にする。ウェイトは、手および前腕端部にわたって均一に分散される。また、グローブのウェイトを握る必要はないので、手首にかかる負荷を最小限にすることができる。【選択図】図６
2004527323.tif 000002
【特許請求の範囲】
【請求項１】
外皮をそれぞれ有する背面部、親指背面部、および手のひら部と、
固体ウェイトとを備え、
前記固体ウェイトは、前記背面部および前記親指背面部の前記外皮の下に固定されている、
ウェイト付きエクササイズグローブ。
【請求項２】
緩やかに湾曲した指位置を有する着用者の自然な位置に一致させるように形成された内部キャビティをさらに備える請求項１に記載のグローブ
【請求項３】
着用者の手、手首および前腕へ前記グローブを取り付ける手段をさらに備える請求項２に記載のグローブ。
【請求項４】
前記グローブは、左手用グローブと右手用グローブとから構成される請求項２に記載のグローブ。
【請求項５】
前記固体ウェイトは１つの一体型柔軟性固体ウェイトを有する請求項２に記載のグローブ。
【請求項６】
前記固体ウェイトはゴムで被覆された柔軟性固体ウェイトを有する請求項５に記載のグローブ。
【請求項７】
前記柔軟性固体ウェイトは複数の固体ウェイトを有する請求項２に記載のグローブ。
【請求項８】
前記取り付け手段は少なくとも１つのベルクロ（登録商標）ストラップを有する請求項３に記載のグローブ。
【請求項９】
前記グローブの手首部の周囲に配置される手首ウェイトをさらに有する請求項２に記載のグローブ。
【請求項１０】
前記グローブは着用者の指先に解剖学的に遠い第１の位置と着用者の手首の基部に解剖学的に近い第２の位置の間に配置される構成である請求項２に記載のグローブ。
【請求項１１】
前記グローブは着用者の指先に解剖学的に近い第１の位置と着用者の手首の基部に解剖学的に近い第２の位置の間に配置される構成である請求項２に記載のグローブ。
【請求項１２】
前記固体ウェイトはグローブの背面部および親指背面部の外皮の下に取り外し不能に固定される請求項２に記載のグローブ。
【請求項１３】
背面部、親指背面部、手首部およびグローブ手のひらと、
前記背面部、前記親指背面部、前記手首部および前記グローブ手のひらを囲むフルウェイトとを備え、
前記背面部、親指背面部、手首部およびグローブ手のひらは外皮を共有し、
前記フルウェイトは前記外皮の下に取り付けられる、
ウェイト付きエクササイズグローブ。
【請求項１４】
前記フルウェイトは１つの柔軟性固体ウェイトを有する請求項１３に記載のグローブ。
【請求項１５】
前記フルウェイトは複数の固体ウェイトを有する請求項１３に記載のグローブ。
【請求項１６】
前記フルウェイトは一体型流体チャンバー内の流体を有し、
前記一体型流体チャンバーは前記背面部、前記親指背面部、前記手首部および前記グローブ手のひらの周囲に配置される、
請求項１３に記載のグローブ。
【請求項１７】
前記流体は水を有する請求項１６記載のグローブ。
【請求項１８】
前記グローブは着用者の指先に解剖学的に遠い第１の位置と着用者の手首の基部に解剖学的に近い第２の位置の間に配置される構成である請求項１３に記載のグローブ。
【請求項１９】
前記グローブは着用者の指先に解剖学的に近い第１の位置と着用者の手首の基部に解剖学的に近い第２の位置の間に配置される構成である請求項１３に記載のグローブ。
【請求項２０】
前記フルウェイトは前記外皮の下に取り外し不能に固定される請求項１３に記載のグローブ。
【請求項２１】
ユーザの手を自然な位置に収容する形状を有し、背面部および手のひら部を有するグローブ本体と、
グローブの手のひら部が柔軟なままであることを可能にしつつ、前記グローブ本体の背面部に一体に配置されたウェイトと、
を備えるウェイト付きエクササイズグローブ。
【請求項２２】
前記ウェイト付きエクササイズグローブはボクシンググローブ型である請求項２１に記載のグローブ。
【請求項２３】
前記ウェイトは、グローブの背面部に均一に分散される請求項２２に記載のグローブ。
【請求項２４】
前記グローブ本体の内部は、ユーザが握ることなしにウェイト付きエクササイズグローブを着けて運動できるように、ユーザの他の指の自然なカーブを収容する形状を有する請求項２３に記載のグローブ。
【請求項２５】
前記グローブ本体は、ユーザの親指を収容する親指部およびユーザの他の指を収容するミトン部を有する請求項２４に記載のグローブ。
【請求項２６】
前記親指部は背面部を有し、前記グローブは、さらに前記親指部の背面部に一体に配置されたウェイトを有する請求項２５に記載のグローブ。
【請求項２７】
前記ウェイトは、流体で充填することができる一体化されたチャンバーを有する請求項２３に記載のグローブ。
【請求項２８】
前記ウェイトは１つのゴムで被覆された柔軟性ウェイトを有する請求項２２に記載のグローブ。
【請求項２９】
前記グローブ本体の背面部に一体に配置されたウェイト、および、前記親指部の背面部にあるウェイトは、１つのゴムで被覆された柔軟性ウェイトを有する請求項２６に記載のグローブ。
【請求項３０】
前記グローブ本体の内部は、ユーザの手に対して自然な支持および形状を提供するように形成され、パッドが取り付けられている請求項２２に記載のグローブ。
【請求項３１】
前記ウェイトは、前記グローブ本体の背面部の外皮内に独立したケースとされたコンパートメントに取り付けられた複数個のウェイトを有する請求項２３に記載のグローブ。
【請求項３２】
前記ボクシンググローブは一体化されたウェイトと外皮との間にパッドを有する請求項２３に記載のグローブ。
【請求項３３】
前記グローブは、グローブの手のひら部に一体に配置されたウェイトをさらに有する請求項２６に記載のグローブ。
【請求項３４】
背面部および手のひら部と、
ボクシンググローブの前記背面部に一体に配置されたウェイトと、
を備えるウェイト付きボクシンググローブ。
【請求項３５】
前記ボクシンググローブはユーザの手を収容することができる内側部および外皮を備えており、前記ウェイトは内側部と前記外皮の間に配置される請求項３４に記載のボクシンググローブ。
【請求項３６】
前記ボクシンググローブの内側部は、ユーザが腕に負荷を受けることなしにウェイト付き前記ボクシンググローブを着けて運動できるように、ユーザの他の指の自然なカーブに従う形状を有する請求項３５に記載のグローブ。
【請求項３７】
前記ボクシンググローブは、ユーザの親指を収容する親指部およびユーザの他の指を収容するミトン部を有する請求項３４に記載のグローブ。
【請求項３８】
前記親指部は背面部を有し、前記グローブは、さらに前記親指部の背面部に一体に配置されたウェイトを有する請求項３７に記載のグローブ。
【請求項３９】
前記ウェイトは、流体で充填することができる一体化されたチャンバーを有する請求項３４に記載のグローブ。
【請求項４０】
前記グローブ本体の背面部に一体に配置されたウェイト、および、前記親指部の背面部にあるウェイトは、１つのゴムで被覆された柔軟性ウェイトを有する請求項３８に記載のグローブ。
【請求項４１】
前記ウェイトは、ユーザの腕の前腕端部にわたってバランスのとれた方法で均一に分散される請求項３４に記載のグローブ。
【請求項４２】
前記ウェイトは、前記グローブ本体の背面部の外皮内に独立したケースとされたコンパートメントに取り付けられた複数個のウェイトを有する請求項４１に記載のグローブ。
【請求項４３】
前記ウェイトは１つのゴムで被覆された柔軟性ウェイトを有する請求項４１に記載のグローブ。
【請求項４４】
特定の筋肉グループを対象としてウェイトトレーニングを行う方法であって、
背面部および手のひら部を有するグローブの前記背面部に一体に形成されたウェイトを備えたウェイト付きボクシンググローブを少なくとも一方の手につけることと、
ウェイト付きボクシンググローブを使用して、握ることなく、上半身のレジスタンスエクササイズを行うウェイトトレーニングを行うことと、
を備えるウェイトトレーニングを行う方法。
【請求項４５】
前記ウェイトトレーニングはウェイトを握ることができないユーザのための運動療法である請求項４４に記載の方法。
【請求項４６】
前記ウェイト付きボクシンググローブは、ユーザの手の自然な位置に一致する少し湾曲した内部形状を有する請求項４４に記載の方法。
【請求項４７】
ユーザの手の各々に独立したウェイト付きボクシンググローブを取り付け、ウェイト付きボクシンググローブを取り付けた状態で、ユーザはダンベルと同じようにウェイトトレーニングを行う請求項４６に記載の方法。
【請求項４８】
前記ボクシンググローブの内側部は、ユーザが手首に負荷を受けることなしにウェイト付き前記グローブを着けて運動できるように、ユーザの他の指の自然なカーブに従う形状を有する請求項３４に記載のグローブ。
【請求項４９】
前記ウェイト付きボクシンググローブを使用して、従来のウェイトトレーニングと同様に下半身のレジスタンスを行う請求項４７の方法。
【発明の詳細な説明】
【技術分野】
【０００１】
本発明はウェイト付きエクササイズグローブに関する。本発明は、特に、ボクシンググローブのように形成され、支持され、パッドが取り付けられ、グローブの背面（手の甲）部および／または手首に広く均一に配置された一体化されたウェイトを備え、親指および他の指部がヒンジ状の動作を可能とするようにグローブの手のひらを柔軟なままにできるグローブに関する。グローブは、従来のボクシンググローブのように完全に指を覆うように指先まで伸びていてもよく、また、指出しグローブのように指先がグローブから出るものでもよい。
【背景技術】
【０００２】
［関連技術］
ウェイト付きエクササイズグローブには先行技術がある。Ｗａｌｋｅｒ’４３３（米国特許第４，９１１，４３３号、１９９０年３月２７日発行）およびＦｒｅｄｅｎｈａｇｅｎ’８５３（米国特許第３，８３８，８５３号、１９７４年１０月１日発行）など指の力の向上に関する先行技術がある。これらの特許は、ピアノ演奏のため（Ｆｒｅｄｅｎｈａｇｅｎ’８５３）、あるいは野球バットを握るため（Ｗａｌｋｅｒ’４３３）に指の力を向上することを目的に、グローブの他の指の上に置かれたウェイトを開示している。どちらも重いウェイトを支持できない。また、どちらも手首に対する負荷を引き起こす。
【０００３】
他のウェイト付きグローブはＧｕｔｈｒｉｅ’７０６（米国特許第４，３２６，７０６号、１９８１年４月２７日発行）およびＳｃｈｗａｒｔｚ’０９７（米国特許第４，２４７，０９７号、１９８１年１月２７日発行）に開示されている。これらのグローブはウェイトの挿入のためのポケットを備える。これらのデザインの主な欠点は、それらの開示された実施例において、エアロビックダンスおよびシャドーボクシングのような動きの速いエクササイズで、ポケット開口部から、あるいは保持部材が破れることによってウェイトがポケットから飛び出ることである。より深刻なことに、これら器具は、少なくともユーザがパームウェイトを握るよう促すことなどを強いる。このため、手首、特に手根管に対する負荷を与える。
【０００４】
したがって、前述の欠点を含めて先行技術の問題のない耐ウェイト性があるグローブのために、先行技術の改良は有用であろう。特に、そのようなグローブは、ユーザにグローブおよびその一体化されたウェイトを握ることを強いることなく、簡単かつ自然に手の自然位置と一致させるであろう。
【特許文献１】
米国特許第４，９１１，４３３号
【特許文献２】
米国特許第３，８３８，８５３号
【特許文献３】
米国特許第４，３２６，７０６号
【特許文献４】
米国特許第４，２４７，０９７号
【発明の開示】
【発明が解決しようとする課題】
【０００５】
従って、この発明の目的は、とりわけ、
・ウェイトを握る必要のない上半身のウェイトレジスタンスを提供し；
・破損あるいはグローブからのウェイトの脱落を最小限にするグローブに一体化する、好ましくは取り外し不能に一体化されたウェイトを有し；
・手首の負荷を最小限にするために手と前腕にわたって均一にウェイトを分散し；
・水あるいは他の同様の利用可能な流体をウェイトとして使用できるよう選択的に構成され；
・低コストである、
改良された新規なウェイト付きグローブを提供することにある。
【０００６】
これらの目的は、本発明の器具の構造およびその使用によって達成される。本発明の他の目的は以下の詳細な説明から明らかになるであろう。
【課題を解決するための手段】
【０００７】
本発明により、ユーザはウェイトを握ることなく、手の上部に取り付けられたレジスタンスウェイトを着用することができる。ダンベルのようなレジスタンスウェイトを握らなければならないのではなく、ユーザはウェイト付きグローブを着用する。ウェイトを握って保持する必要がないので、手首に対する負荷を防ぐことができる。より詳しくは、ウェイトは、腕の遠位の部分にわたって、一般に指から前腕にかけて、バランスのとれた方法で、均一に分散される。
【０００８】
本発明は、手首の損傷、神経の損傷あるいは他の疾病や損傷により、重くても軽くても物を握ることができない人々に有用である。ユーザは、ウェイトを保持することなく前腕に着用するため、二頭筋、三角筋、僧帽筋、および他の、上部の体および腕構造などの機能的な筋肉グループのレジスタンストレーニングが可能である。
【０００９】
負傷のないエクササイザーにも、本発明は、従来の固定、非固定型ステーションウェイトに対していくつかの利点を有する。ウェイトを握らないので、ウェイト部分が手首の周囲に分配される場合さえ、手首への負荷は低減される。腱、靭帯と、手首およびその周囲の筋肉はウェイトを手および指で握ることの影響を受けるようには使用されない。したがって、ユーザは、握ることに対するエネルギーと、手首の支持とを必要とせず、対象の筋肉グループの筋力トレーニングに特化し、集中することができる。これにより、過伸展あるいは他の負荷による急性あるいは反復性の手首の外傷の可能性を低減しながらより効率的なトレーニングを行うことができる。
【００１０】
他の有利な使用には、レジスタンスウェイトが必要な、ショルダーシュラッグ、ラング、ローイングおよび下半身トレーニングがある。ウェイトは、グローブ（好ましくはパッドが取り付けられる）において、着用者の腕に常に取り付けられているため、ダンベルのようにウェイトが体にぶつかる可能性が低い。これにより、ユーザは手に握った非固定型のウェイトの位置あるいは手首をまっすぐにすることに注力することなく、運動が与えるフォームおよび対象とされた筋肉グループに集中することができる。従来の非固定型のウェイト（ダンベルまたはバーベル）を使用する場合、ユーザは注意、エネルギー、労力の多くを手首の負荷および／または過伸展による負傷を防ぐように、適切な手首位置の維持にいつも費やしている。本発明は、ユーザがむしろレジスタンスを受ける筋肉グループに集中することを可能にする。
【００１１】
また、本発明はボクシングトレーニング器具に有用である。器具の形状および感覚は、従来のボクシンググローブに非常に近い。上乗せされたウェイトは、トレーニングにおける運動の柔軟性および範囲を維持しながら、ユーザが筋肉量を向上させることを可能にする。本発明の着用によりボクシングにおいて使用されるまさにその筋肉が強化されているため、このグローブを外し、従来のボクシンググローブと取り替えたとき、ユーザはより速い腕の動きを得ることができる。さらに、グローブが指先を越えて伸びる、好ましい態様でパンチングバックを打つ場合、グローブのウェイトが衝撃荷重を分散させて、グローブの慣性力によるバッグから反発力を最小限にするので、ユーザが腕に感じるインパクトショックはより小さくてすむ。
【００１２】
負荷の大きいウェイトトレーニングに使用された時、本発明は腰の負担を取り除く。手が自然な位置にあるからである。オーバーヘッドミリタリープレスを行なう場合、特にこのことは事実である。なぜなら、バーベルを上げるときに必要とされるあごを避けるように体を反らすことが必要なくなる。所望により、本発明によって、着用者は、三角筋グループに特化して強くするために、手のひらを前に向けて手をまっすぐに頭の上に上げるだけでよい。これはダンベルではできない。ダンベルを頭上に上げる場合、ダンベルの端がユーザの頭の側面にぶつかることを防ぐために、手のひらを内側に向ける必要がある。
【００１３】
他の実施例では、グローブは出し入れ可能な水によってウェイトを与えられる。この実施例はグローブのウェイトを柔軟に決めることを可能にし、グローブが出張者のスーツケースなどで運ばれる場合、特に有用である。このウェイト付きグローブは、出張者が荷物中に重いウェイトを持たずに、部屋の中で十分なレジスタンスウェイトトレーニングを行うことを可能にする。水は重さ１ガロン当たりおよそ８ポンド（１．０  ｇｍ／ｍｌ）であり、容易に手に入れることができるので、必要とされるウェイトを得るために水をグローブの一体化されたチャンバーに入れればよい。好ましくは、ウォーターチャンバーには水がバチャバチャすることおよび流体慣性力の影響を最小限にするためにバッフルが設けられる。
【発明を実施するための最良の形態】
【００１４】
本発明のウェイト付きグローブ１０を、図１〜８を用いて説明する。
図１に示すように、グローブ１０は、独立した親指部と他の指のためのミトンタイプ部とを有する形状であり、好ましくはボクシンググローブ、好ましくは非コーベット・スタイルのグローブである。しかしながら、手に対して自然な支持および形状を提供するいかなる形状のグローブにも、本発明は適用できる。図１の中で示される好ましいグローブ１０は、着用者の指先を超えたところから（着用者の指先から遠い第１の位置）から前腕（着用者の手首に近い第２の位置）へ典型的には手首の基部に近い側に３あるいは４インチ伸びている。グローブの内側部は、手を入れたとき、指先の緩やかで自然なカーブを提供するように好ましくは形成され、パッドが取り付けられる。グローブは、好ましい実施例ではベルクロ（Ｖｅｌｃｒｏ）（登録商標）タイプのストラップである取り付け具４２によって手に取り付けられることが好ましい。あるいは、レーシング、バックル、伸縮性のあるスリーブあるいはジッパーを含む運動競技のグローブの技術において既知のどのような取り付け手段を取り付け具４２として使用してもよい。ただし、本発明はこれらに限定されない。あるいは、取り付け具４２を使用せず、グローブ１０は、ユーザの手の自然なカーブおよび形状に成型されたグローブ１０の内部の形状によりユーザの手に取り付けられてもよい。グローブの手のひら４０は、ユーザの手のひらに近いグローブ１０の外部を構成する。
【００１５】
１つの実施例にかかる、背面部３６をカバーする背面ウェイト３０、および親指背面部３１をカバーする独立した親指ウェイト３２を有するグローブ１０を図２に示す。ウェイトはそれぞれ好ましくは固体のウェイトであり、好ましくは１つのゴムで被覆された柔軟性ウェイトであり、好ましくは取り外し不能に、グローブ１０の外皮３８の下で取り付けられる。あるいは、背面ウェイト３０および親指ウェイト３２は、各々、外皮３８の別々の閉じたコンパートメント（図示せず）の中に取り付けられた複数の小さなウェイトから構成されてもよい。あるいは、背面ウェイト３０および親指ウェイト３２は、グローブ１０のポケットあるいは他の同様な拘束具（図示せず）に取り付けることによって、取り外し可能に構成してもよい。これらの取り外し可能なウェイトは１つのゴムで被覆された柔軟性ウェイトあるいはその均等物としてもよい。あるいは、取り外し可能なウェイトは複数の小さなウェイトとしてもよい。
【００１６】
グローブ１０の好ましい実施例を、図３に示す。１つの一体型ウェイト５０は、グローブ１０の背面部３６の周囲に成型され、さらに親指背面部３１を覆っている。図２に記述されたウェイトと同様、一体型ウェイト５０は、好ましくはグローブ１０の外皮３８の下に取り付けられた、１つのゴムで被覆された柔軟性ウェイトである。一体型ウェイト５０は、好ましくは、取り外し不能に外皮３８の下に取り付けられるが、他の態様として取り外し可能に構成してもよい。あるいは、一体型ウェイト５０は、グローブ１０の背面部３６の周囲に連続して成型された一体型である一方で、外皮３８に閉じたコンパートメント（図示せず）に取り付けられた複数の小さなウェイトから構成されてもよい。これら閉じられたコンパートメントは、典型的には、１つのウェイトあるいは複数の小さなウェイトである一体型ウェイト５０が外れることを防止するための縫い閉じられた縫製ポケットである。あるいは、これら閉じられたコンパートメントは、グローブ１０中の異なる量のウェイトを外したり、交換したりするように通じることができるポケットあるいは同様のコンパートメントとしてもよい。一体型ウェイト５０は、一部の背面部３６および親指背面部３１のみを覆って示されている。しかしながら、本実施例において、ウェイト５０が背面部３６および親指背面部３１の部をすべて覆う構成とできることは理解されよう。
【００１７】
背面ウェイト３０および親指ウェイト３２は背面の流体チャンバー６０および親指流体チャンバー６２とそれぞれ置き換えられた他の実施例にかかるグローブ１０を、図４に示す。これらのチャンバーは少なくとも１つのフィルタブ６４を通って水のような流体で満たされる。フィルタブ６４は、選択的に流体をチャンバーに充填あるいは抜き取ることができる当技術の中で既知のタイプのバルブから構成される。好ましくは、グローブが速く動くとき、流体がバチャバチャすることおよび流体の慣性力を引き起こすことを防ぐために、チャンバーが、内部バッフル６５を備える。チャンバーは分離したユニットとして図４において示される。しかしながら、背面流体チャンバー６０および親指流体チャンバー６２は、背面部３６および親指背面部３１のすべてあるいは一部を覆う一体型流体チャンバー（図示せず）を形成するように組み合わされ、連結される構成としてもよい。典型的には、この一体型流体チャンバーの内部は、すべて流体的に連結されている。
【００１８】
他の好ましい実施例にかかるグローブ１０を、図５に示す。この実施例では、一体型流体チャンバー６６は、背面部３８、親指背面部３１およびグローブ手のひら４０を含む外皮３８の下のグローブ１０全体をカバーするフルウェイト６８である。ユーザの手は、一体型流体チャンバー６６に囲まれるグローブ１０の内部に入れられる。この実施例は、グローブ１０に付加的な流体容量を加えることもできる、その場合、柔軟性が制限される。グローブ１０の内部は、さらに、ユーザの手の自然な外形にフィットする形状となる。あるいは、グローブ１０のフルウェイト６８は、背面部３６、親指背面部３１およびグローブ手のひら４０を囲む、１つの柔軟な固体のウェイト（示されない）として構成し、外皮３８の下に取り外し不能あるいは取り外し可能に取り付けることもできる。そのような実施例はさらにグローブの柔軟性を制限するが、この追加のウェイトはグローブの周囲に均一に支持される。
【００１９】
あるいは、グローブ１０は、図６および７に示すように、ユーザの手首部の周囲に形成された手首ウェイト５２を備えていてもよい。これらの実施例では、分離型ウェイト（図６）あるいは一体型ウェイト５０（図７）のいずれによっても、手首に最小限の負荷がかかってしまう。手首は、ウェイトを握ることに対して要求されるバイオメカニクスの支援を必要とされないからである。しかしながら、これらの実施例では、グローブ手のひら４０（他の図の中で示されている）が、柔軟性を残しているため好ましい。グローブ親指２５およびグローブ指部２７が、ユーザの手、特に親指および他の指の自然なカーブおよび動きに適合することで、ヒンジ状に動かせることができるからである。このヒンジ状に動かせる自然な位置は、ユーザが余計に握ることなく、グローブを手に固定することができる。したがって、手首ウェイト５２は塞いだり、さらには取り付け具４２の邪魔になったりするが、グローブ１０は、手の自然なカーブがグローブ１０のヒンジのカーブと係合することにより、ユーザに固定される。
【００２０】
あるいは、グローブ１０はユーザが指を曲げられるよう、さらには指を涼しくしておけるよう、ユーザの親指７２と他の指７０がグローブ指端部７５から出る構成とすることもできる。この場合、グローブ１０は、ユーザの他の指先７１および／またはユーザ親指先７３において解剖学的に近い第１の位置とユーザの手首（図示せず）に解剖学的に近い第２の位置の間に位置する。ウェイトは、他の実施例のように、ユーザの手にわたって分散される。また、グローブ１０が上記の通りユーザの手の自然な形状に一致するので、ユーザはグローブ１０ウェイト握る必要がない。この実施例中のグローブ１０はさらに手首ウェイト５２（この図の中では示されない）を備えていてもよく、かつ／または上述の一体型ウェイト５２および／または一体型流体チャンバー６６が記述した一体型を備えていてもよい。
【００２１】
すべての実施例において、好ましくはグローブ１０にグローブ１０のパッドが、両内側に外皮３８の下と同様に取り付けられる。好ましくは他の指を緩やかに曲げることで、内部パッドが着用者の手を自然な位置に合わせることを容易にする。グローブが外されたとき、ユーザに落ちた場合、あるいは、トレーニングルーチン中にグローブが着用者に対してぶつかった場合に、外皮３８の下の外部パッドはさらに安全性を高める。
【００２２】
［作用］
グローブ１０はすべて１つの左用のグローブとして示されているが、グローブが典型的には左右両手の形態で提供されるとともに使用されることを、着用者が左右同様に使用でき、そのような使用を期待していることを前提に、発明者が意図していることは理解されよう。
【００２３】
ユーザは対応するグローブ１０に片方あるいは両方の手を置く。グローブは取り付け具４２を係合することにより、ユーザの手および前腕端部に取り付けられる。追加的な取り付けは、曲がった、少しパッドが取り付けられたグローブ手のひら４０の形状によって行われる。あるいは、グローブ１０は取り付け具４２を備えず、ユーザは取り付け具４２を用いることなく、ユーザの手およびグローブ１０の内部の自然な係合によりグローブ１０はユーザに取り付けられる。ユーザがグローブへ手を滑り込ませるとともに、グローブ１０の内部キャビティは、手が下方に向く位置にある場合でさえグローブ１０を保持するように手の周囲の形状となる。ユーザはグローブ手のひら４０を曲げようと思えば、そうすることができるが、典型的にはそれはグローブを保持するために必要なことではない。
【００２４】
その後、ユーザは、ダンベルまたはバーベルで練習することと同じ方法で運動する。例えば、二頭筋カールは、バーベルまたはダンベルを保持すると同様に上向きに腕を上げることにより行なわれる。しかしながら、それらが手およびより前腕端部にストラップで取り付けられているので、手でグローブ１０を握る必要はない。指を少し曲げることで、手は人間工学的に自然な位置のままとなろう。手首は、グローブ１０の形状およびその支持によって、真っすぐになる。
【００２５】
ダンベルを持ったときと同様に、ラングは行なわれる。グローブ１０は、ダンベルと異なり、運動するときユーザにぶつかるというユーザへの大きな危険をもたらさない。同様に、オーバーヘッドミリタリープレスあるいはベンチプレスのようなバーベルを典型的に使用する運動は、グローブ１０で、単に遠方にウェイト付きグローブ１０を突き出すことで行うことができる。ウェイトが落ちることがないので、これにより安全に運動することができる。
【００２６】
グローブ１０によりボクサートレーニングも改善される。ユーザは、グローブ１０でシャドーボクシング、さらにはスピードバッグを打つことさえできる。これらのルーチンにより、ボクシングと同じ筋肉および同じ運動範囲が用いられる。このため、スポーツのために強化する必要のある特定の筋肉を対象とすることができる。シャドーボクシングルーチンの運動の範囲によって得られる筋肉柔軟性を維持しながら筋肉の強度を高めることによって、ボクサーは、柔軟性の損失のなく増加した筋肉強度に応じて、速い動きができるようになろう。好ましい実施例では、ウェイトはグローブ１０に一体にされ、開閉可能なポケットには入れられない。したがって、ウェイトは、グローブ１０にしっかり取り付けられた状態であり続ける。したがって、シャドーボクシングあるいはエアロビックダンスでのように速い動きにおいてグローブ１０からウェイトが飛び出る危険を最小限にすることができる。さらに、グローブ１０の回りのウェイトが衝撃荷重を分散させて、グローブの慣性力によるバッグから反発力を最小限にするので、パンチングバックを打つとき、ユーザが腕に受けるインパクトショックは小さくてすむ。ウェイトがグローブ１０の周囲のポケット（図示せず）に置き換え可能に入れられる場合、ポケットは不意のウェイトの飛び出しを防ぐためにしっかりと取り付けられることが好ましい。
【００２７】
本発明の以上の開示および説明は、本発明の説明のための単なる例示に過ぎない。本発明はその精神から逸脱することなく、添付の特許請求の範囲内において具体例の種々の変形を行うことができる。本発明は特許請求の範囲およびその均等物に及ぶ。
【図面の簡単な説明】
【００２８】
【図１】取り付けストラップおよび柔軟性のある手のひらが示されたウェイト付きグローブの手のひら側を示している。
【図２】グローブの背面部と親指に沿った二つの部分で、一体に成型されたウェイトを有する本発明のグローブ示す。
【図３】好ましくはグローブの外皮の下に、グローブと一体化された一体型成型ウェイトを有するグローブの好ましい実施例を示す。
【図４】グローブの背面部と親指に沿って空洞の流体コンテナーを有する他の実施例にかかるグローブを示す。
【図５】連続的な流体チャンバー、すなわちグローブを囲むウェイト部材を有する他の実施例にかかるグローブを示す。
【図６】手首の周囲にさらにウェイトを有する他の実施例にかかるグローブを示す。
【図７】好ましくはグローブの外皮の下で、手首部の回りのウェイトを含むグローブと一体化された、一体型成型ウェイトを有する他の実施例にかかるグローブを示す。
【図８】親指と他の指がグローブの端部から出される他の実施例にかかるグローブを示す。
【国際公開パンフレット】
2004527323.tif 000003
2004527323.tif 000004
2004527323.tif 000005
2004527323.tif 000006
2004527323.tif 000007
2004527323.tif 000008
2004527323.tif 000009
2004527323.tif 000010
2004527323.tif 000011
2004527323.tif 000012
2004527323.tif 000013
2004527323.tif 000014
2004527323.tif 000015
2004527323.tif 000016
2004527323.tif 000017
2004527323.tif 000018
2004527323.tif 000019
【国際調査報告】
2004527323.tif 000020